(57)【要約】【課題】さらに良質な画像を生成することができる、撮影装置、撮影方法、及び撮影処理プログラムを提供する。【解決手段】本発明に係る撮影装置は、利用者を被写体として撮影する撮影部と、前記撮影部による撮影のタイミングにおいて、被写体に光を照射する発光部と、前記利用者の身体的特徴に関する身体情報を取得する身体情報取得部と、取得した前記身体情報に基づいて、前記発光部から照射される光の制御を行う、制御部と、を備えている。【選択図】図８
2019078823.tif 000002
【特許請求の範囲】
【請求項１】
利用者を被写体として撮影する撮影部と、
前記撮影部による撮影のタイミングにおいて、被写体に光を照射する発光部と、
前記利用者の身体的特徴に関する身体情報を取得する身体情報取得部と、
取得した前記身体情報に基づいて、前記発光部から照射される光の制御を行う、発光制御部と、
を備えている、撮影装置。
【請求項２】
前記発光部は、
前記撮影部よりも上方に配置されて光を照射する第１発光ユニットと、前記撮影部よりも下方に配置されて光を照射する第２発光ユニットと、を備え、
前記発光制御部は、
前記身体情報に基づいて、前記各発光ユニットから照射される光を個別に制御する、請求項１に記載の撮影装置。
【請求項３】
前記発光制御部は、前記身体情報に基づいて、身長が所定高さより低い利用者用の第１撮影モード、及び前記所定高さよりも高い利用者用の第２撮影モードのいずれかを判別し、
前記第１撮影モードである場合には、前記第１発光ユニットから照射される光の総発光強度が、前記第２撮影モードにおける前記総発光強度よりも強くなるように、前記第１発光ユニットを制御する、請求項２に記載の撮影装置。
【請求項４】
前記発光制御部は、前記身体情報に基づいて、身長が所定高さより低い利用者用の第１撮影モード、及び前記所定高さよりも高い利用者用の第２撮影モードのいずれかを判別し、
前記第２撮影モードである場合には、前記第２発光ユニットから照射される光の総発光強度が、前記第１撮影モードにおける前記総発光強度よりも強くなるように、前記第２発光ユニットを制御する、請求項２または３に記載の撮影装置。
【請求項５】
被写体である利用者の身体的特徴に関する身体情報を取得するステップと、
取得した前記身体情報に基づいて利用者に照射される光の制御を行いつつ、前記被写体の撮影を行うステップと、
を備えている、撮影方法。
【請求項６】
コンピュータに、
被写体である利用者の身体的特徴に関する身体情報を取得するステップと、
取得した前記身体情報に基づいて利用者に照射される光の制御を行いつつ、前記被写体の撮影を行うステップと、
を実行させる、撮影処理プログラム。
【発明の詳細な説明】
【技術分野】
【０００１】
本発明は、撮影装置、撮影方法、及び撮影プログラムに関する。
【背景技術】
【０００２】
従来、利用者をカメラで撮影することで得られた撮影画像を写真印刷シートとして出力したり、ネットワークを介して外部の装置に送信したりすることができる遊戯用撮影装置が知られている。このような遊戯用撮影装置では、写真の見栄えを良くするために、種々の編集作業が行えるようになっている。例えば、特許文献１には、目の大きさの変更、明るさの変更、落書きの追加等の編集が可能な遊戯用撮影装置が提案されている。
【先行技術文献】
【特許文献】
【０００３】
【特許文献１】特開２０１７−０３８３４４号公報
【発明の概要】
【発明が解決しようとする課題】
【０００４】
ところで、上記のような装置で撮影を行う場合には、全身撮影及び顔のアップ撮影が行われることがある。このとき、全身撮影やアップ撮影は撮影範囲が異なるため、最適な画像を生成するには、ライティング等の撮影環境を変更する必要がある。しかしながら、このような撮影環境の変更には改善の余地があり、さらに良質な画像を生成するための改善が要望されていた。なお、このような問題は、遊戯用撮影装置に限られず、例えば、証明写真機を含む撮影装置全般に生じ得る問題である。
【０００５】
本発明は、上記問題を解決するためになされたものであり、さらに良質な画像を生成することができる、撮影装置、撮影方法、及び撮影処理プログラムを提供することを目的とする。
【課題を解決するための手段】
【０００６】
本発明に係る撮影装置は、利用者を被写体として撮影する撮影部と、前記撮影部による撮影のタイミングにおいて、被写体に光を照射する発光部と、前記利用者の身体的特徴に関する身体情報を取得する身体情報取得部と、取得した前記身体情報に基づいて、前記発光部から照射される光の制御を行う、制御部と、を備えている。
【０００７】
本発明に係る撮影方法は、被写体である利用者の身体的特徴に関する身体情報を取得するステップと、取得した前記身体情報に基づいて利用者に照射される光の制御を行いつつ、前記被写体の撮影を行うステップと、を備えている。
【０００８】
本発明に係る撮影処理プログラムは、コンピュータに、被写体である利用者の身体的特徴に関する身体情報を取得するステップと、取得した前記身体情報に基づいて利用者に照射される光の制御を行いつつ、前記被写体の撮影を行うステップと、を実行させる。
【発明の効果】
【０００９】
本発明によれば、生成される画像の範囲をユーザに合わせることができる。
【図面の簡単な説明】
【００１０】
【図１Ａ】本発明の一実施形態に係る撮影装置（カーテンなし）の外観を示す斜視図である。
【図１Ｂ】図１Ａの撮影装置（カーテンあり）の外観を示す斜視図である。
【図２】図１の撮影装置の撮影ユニットの一例を例示する。
【図３】図１の撮影装置のハードウェア構成の一例を例示する。
【図４】第１発光ユニットの内部構造を示す斜視図である。
【図５】第２発光ユニットの内部構造を示す斜視図である。
【図６】図１の撮影装置のソフトウェア構成の一例を例示する。
【図７】撮影の依頼を受け付けるための処理手順の一例を例示する。
【図８】ユーザの撮影する処理手順の一例を例示する。
【図９】全身撮影を行う画面である。
【図１０】全身撮影におけるユーザ取得画像の画像範囲を説明する図である。
【図１１】アップ撮影におけるユーザ取得画像の画像範囲の設定画面である。
【図１２】アップ撮影におけるユーザ取得画像の画像範囲を説明する図である。
【図１３】アップ撮影を行う画面である。
【図１４】大きくする画像を選択する画面である。
【図１５】印刷シートの位置例を示す図である。
【図１６】印刷シートの支持部を組み立てた斜視図である。
【図１７】印刷シートから写真台を組み立てた状態を示す斜視図である。
【発明を実施するための形態】
【００１１】
＜１．撮影装置の概要＞
以下、本実施形態に係る撮影装置について説明する。図１Ａは、本実施形態に係る撮影装置１００からカーテン１３を取り除いた状態を示す斜視図、図１Ｂは、図１Ａにおいてカーテン１３を取り付けた状態を示す斜視図である。
【００１２】
図１Ａ及び図１Ｂに示されるとおり、撮影装置１００は、直方体状の筐体１を備えており、この筐体１の側面には、内部の撮影空間１０に通じる出入口１１が形成されている。この出入口１１の上縁にはカーテンレール１２が取り付けられており、このカーテンレール１２には、カーテン１３が取り付けられている。これにより、利用者が撮影を行う際には、カーテン１３を閉じることで、撮影空間１０を外部から見えないようにすると共に、外部から余計な光が撮影空間１０に入らないようにすることができる。筐体１の内装において、後述するカメラ３２が配置される面とは反対側の面（背面）等の撮影範囲には、クロマキー合成処理のための単一の色（例えば、青色、緑色等）が付される。単一の色が付される範囲は、撮影範囲の一部であってもよいし、全体であってもよい。
【００１３】
筐体１の外壁の出入口１１付近には、受付ユニット２が設けられている。受付ユニット２は、撮影装置１００による写真撮影の依頼を受け付けるように構成される。一方、筐体１の内部（撮影空間１０）において、撮影時に利用者が存在すべき位置の前方には、撮影ユニット３が設けられている。撮影ユニット３は、撮影空間１０内の利用者を撮影し、得られた画像の編集を受け付け、編集された画像をプリントするように構成される。各ユニット（２、３）の構成の詳細は後述する。
【００１４】
＜２．撮影装置のハードウェア構成＞
次に、図２〜図５を更に用いて、本実施形態に係る撮影装置１００のハードウェア構成について説明する。図２は、本実施形態に係る撮影装置１００の撮影ユニット３を例示する。図３は、撮影装置１００のハードウェア構成の一例を模式的に例示する。また、図４及び図５は照明具を示す斜視図である。
【００１５】
図３に示すように、本実施形態に係る撮影装置１００は、受付ユニット２、撮影ユニット３、制御部５、記憶部６、通信インタフェース７、及びドライブ８が電気的に接続されたコンピュータである。なお、図３では、通信インタフェースを「通信Ｉ／Ｆ」と記載している。
【００１６】
制御部５は、ＣＰＵ（Central Processing Unit）、ＲＡＭ（Random Access Memory）、ＲＯＭ（Read Only Memory）等を含み、情報処理に応じて各構成要素の制御を行う。記憶部６は、例えば、ハードディスクドライブ、ソリッドステートドライブ等の補助記憶装置であり、制御部５で実行されるプログラム６１等の各種データを記憶する。
【００１７】
プログラム６１は、写真撮影の依頼の受け付け、受け付けた依頼に応じた写真撮影、印刷を行うための処理を撮影装置１００に実行させるためのプログラムである。この他、記憶部６には、各処理過程で利用される画面データ等が記憶される。詳細は後述する。
【００１８】
通信インタフェース７は、例えば、有線ＬＡＮ（Local Area Network）モジュール、無線ＬＡＮモジュール等であり、ネットワークを介した有線又は無線通信を行うためのインタフェースである。通信インタフェース７の種類は、撮影装置１００の設置場所等に応じて適宜選択されてよい。撮影装置１００は、通信インタフェース７を介して、外部サーバ等とデータ通信を行うことができる。
【００１９】
ドライブ８は、例えば、ＣＤ（Compact Disk）ドライブ、ＤＶＤ（Digital Versatile Disk）ドライブ等であり、記憶媒体（不図示）に記憶されたプログラムを読み込みための装置である。ドライブ８の種類は、記憶媒体の種類に応じて適宜選択されてよい。プログラム６１は、記憶媒体に記憶されていてもよい。
【００２０】
記憶媒体は、コンピュータその他装置、機械等が記録されたプログラム等の情報を読み取り可能なように、このプログラム等の情報を、電気的、磁気的、光学的、機械的又は化学的作用によって蓄積する媒体である。この記憶媒体の一例として、例えば、ＣＤ、ＤＶＤ、フラッシュメモリ等を挙げることができる。
【００２１】
（受付ユニット）
受付ユニット２は、タッチパネルディスプレイ２１、現金処理部２２、カードリーダ２３、及びスピーカ２４を備えている。タッチパネルディスプレイ２１は、筐体１の外側において、写真撮影を所望する利用者の目線範囲に入るように受付ユニット２本体のやや上方に配置される。タッチパネルディスプレイ２１は、制御部５により制御されて、画面表示及び選択操作の受け付けを適宜行うことで、利用者からの撮影依頼に関する操作を受け付ける。このタッチパネルディスプレイ２１の種類は、特に限定されなくてもよく、実施の形態に応じて適宜選択されてよい。例えば、タッチパネルディスプレイ２１には、感圧式、赤外線式等のタイプを利用可能である。
【００２２】
現金処理部２２は、紙幣検証器（Bill Validator）２２０、現金投入口２２１及び現金排出口２２２を備えており、各種センサにより紙幣検証器２２０又は現金投入口２２１に対する紙幣又は現金（コイン）の投入を検知する。図１Ａ及び図１Ｂに示すように、現金投入口２２１は、タッチパネルディスプレイ２１の下方近傍に配置されており、現金排出口２２２は、現金投入口２２１よりも下方に配置されている。
【００２３】
現金処理部２２は、撮影に要する金額以上の現金が投入されたことを検出した場合に、当該検知を表わす起動信号を制御部５に出力する。また、現金処理部２２は、撮影のキャンセル及び撮影に要する金額分より多い金額分の現金が投入された際に、該当金額分の現金を現金排出口２２２に排出する。
【００２４】
カードリーダ２３は、ＩＣカード、クレジットカード等のカードの情報を読取可能に構成される。このカードリーダ２３には、各種カードの情報を読取可能な公知のリーダが用いられてよい。本実施形態では、カードリーダ２３は、現金投入口２２１の近傍に配置されている。カードリーダ２３は、電子マネー、クレジットカード等による料金の支払いを受け付け、当該料金の支払いを受け付けた際には、そのことを表わす起動信号を制御部５に出力する。
【００２５】
（撮影ユニット）
図１Ａ、図１Ｂ、及び図３に示すとおり、撮影ユニット３は、タッチパネルディスプレイ３１、カメラ３２、照明具３３、スピーカ３４、及びプリンタ３５を備えている。なお、カメラ３２は、本発明の「撮影部」の一例であり、照明具３３は、本発明の「発光部」の一例である。
【００２６】
タッチパネルディスプレイ３１は、撮影ユニット３本体の前面パネルの中央に配置されており、タッチパネルディスプレイ３１の上方には、写真撮影に利用されるカメラ３２が配置されている。制御部５は、カメラ３２による撮影を制御する。また、制御部５は、タッチパネルディスプレイ３１の表示及びタッチパネルディスプレイ３１に対する入力を制御する。タッチパネルディスプレイ３１及びカメラ３２の種類は、実施の形態に応じて適宜選択されてよい。
【００２７】
具体的には、カメラ３２は、制御部５による制御に従って撮影を行い、撮影によって得られた画像をＲＡＭ又は記憶部６に記憶する。本実施形態では、撮影時に利用者の位置が概ね決まっているため、撮影時の利用者とカメラ３２との距離が概ね決まっている。そのため、本実施形態に係るカメラ３２の焦点距離は一定である。しかしながら、カメラ３２の構成は、このような例に限られなくてもよく、ズームレンズを備えるカメラ３２の場合は、カメラ３２の焦点距離は、必要に応じて制御部５によって適切になるように制御されてもよい。なお、焦点距離の調整は、ズームレンズの外筒をカメラ３２の外部から力を加えて回す機構が必要となる。制御部５は、この機構を制御することによりズームレンズの外筒を回す量を調整する。
【００２８】
タッチパネルディスプレイ３１には、カメラ３２により撮影された画像が表示される。制御部５は、所定のタイミングで、カメラ３２により被写体（利用者）の静止画像を撮影する。また、カメラ３２は、リアルタイムに画像を取り込んで、当該画像を表わすライブビュー用の画像信号を出力する。カメラ３２から出力された画像信号は、制御部５のＲＡＭに一時的に記憶されると共にタッチパネルディスプレイ３１に送信される。これにより、タッチパネルディスプレイ３１では、カメラ３２により撮影された静止画像、当該画像信号に基づくライブ映像が表示される。
【００２９】
更に、タッチパネルディスプレイ３１には、上記プログラム６１に基づいて、撮影の案内を示す案内画面等が表示される。各画面では、選択操作等の操作入力が受け付けられる。制御部５は、各画面に対する操作入力を検知し、検知された操作入力に応じた処理を行う。
【００３０】
本実施形態では、タッチパネルディスプレイ３１の両側には、各画面に対する操作入力を行うための操作デバイスとして、一対の電子ペン４０が配置されている。各電子ペン４０は、例えば、デジタイザを構成するペンである。これに応じて、タッチパネルディスプレイ３１には、デジタイザを構成する公知のタッチパネルが積層されたディスプレイが用いられてよい。これにより、制御部５は、各電子ペン４０を識別した上で、各電子ペン４０による入力を検知することができる。
【００３１】
なお、各電子ペン４０は、ケーブル４１を介して、撮影ユニット３本体に連結されている。各ケーブル４１の長さは、タッチパネルディスプレイ３１の画面に各電子ペン４０を接触可能に適宜決定されてよい。利用者は、各電子ペン４０を利用することで、タッチパネルディスプレイ３１に表示された各画面の操作を行うことができる。
【００３２】
照明具３３は、第１発光ユニット３３１及び第２発光ユニット３３２を備えている。図４に示すように、第１発光ユニット３３１は、正面パネル（図示省略）においてカメラ３２の上方に取付けられ、利用者側に向く正面視円形の透光性のカバーを有している。このカバーは、半透明の乳半等で形成される。以下、この第１発光ユニット３３１について、図４を参照しつつ詳細に説明する。図４は、カバーを取り外した第１発光ユニットの斜視図である。
【００３３】
図４に示すように、第１発光ユニット３３１は、カバーによって覆われる円板状の基板３３１０と、この基板３３１０の中央付近に取付けられ、直方体状の一対の第１ストロボ発光管３３１１と、を有している。基板３３１０は、不透明の素材かつ光を反射する素材で構成されている。そして、これら第１ストロボ発光管３３１１の前方には円板状の反射板３３１３が配置されている。これにより、第１ストロボ発光管３３１１から照射されるストロボ光は、反射板３３１３および基板３３１０に反射された後、カバーを介して撮影ユニット３から間接光として被写体の顔を中心とした上部に照射される。被写体の上部とは、被写体の顔付近を想定している。このような間接光は、次に説明する直接光と比べて、影が生じにくい、柔らかい光である。
【００３４】
さらに、反射板３３１３の前面には直方体状の第２ストロボ発光管３３１２が取付けられており、ここから照射されるストロボ光は、カバーを介して直接光として被写体の顔付近に照射される。なお、直接光とは、上述した間接光のように反射を伴う光ではないことを意味し、本実施形態においては、反射光ではなく、カバーを介して被写体に向けられた光をいう。その他、この第１発光ユニット３３１には、撮影空間１０の明るさを調整するための、第１ストロボ発光管３３１１の両側に配置された一対のランプ３３１４および反射板３３１３の周囲を囲むように配置された環状の蛍光灯３３１６が設けられている。
【００３５】
次に、第２発光ユニット３３２について説明する。図５は第２発光ユニットの内部を示す斜視図である。図５に示すように、第２発光ユニット３３２は、撮影ユニット３の下部、つまり、タッチパネルディスプレイ３１の下側に配置されている。そして、写真プリントの取出口３６の両側には、それぞれ開口３３２１が形成され、これら開口３３２１から下方に延びて取出口３６の下側で連結される正面視Ｕ字状の内部空間が形成されている。この内部空間においては、開口３３２１と対向する面（開口３３２１よりも奥側で少なくともＵ字状の内部空間の全体）に反射板が配置されている。また、各開口３３２１には、透光性のカバー３３２８（図２参照）が取付けられている。これらのカバー３３２８は、半透明の乳半等で形成される。そして、内部空間の下部、つまり取出口３６の下方の空間には、蛍光灯３３２３と一対の第３ストロボ発光管３３２４と、が配置されている。
【００３６】
より詳細に説明すると、蛍光灯３３２３は、取出口３６の下側の空間で左右方向に延びるように配置され、その下方の両側に直方体状の第４ストロボ発光管３３２４がそれぞれ配置されている。但し、各第３ストロボ発光管３３２４の照射面は、反射板側を向いている。そのため、照射されたストロボ光及び蛍光灯の光は、反射板で反射されながら上方に向かい、両カバー３３２１を介して、被写体の下半身付近へ下側から照射される。つまり、左右の第３ストロボ発光管３３２４から照射されるストロボ光は、それぞれ左右のカバー３３２８から被写体に向けて照射される。
【００３７】
また、この第２発光ユニット３３２は、次のような役割を果たす。まず、第１発光ユニット３３１による上方からの光によって被写体の顎の下側には、影が生じるおそれがあるが、第２発光ユニット３３２からの下からの光によってこの影を抑制する役割がある。また、第２発光ユニット３３２は、低い位置に配置されているため、被写体の足元を照らす役割を果たす。また、この第２発光ユニット３３２では、両カバー３３２１が取出口３６を挟んで配置されているため、ここからの光は、被写体の左右の両側に対しても照射される。そのため、被写体の足下を含め下半身付近を明るく照らすことができる。
【００３８】
なお、各発光ユニット３３１，３３２のストロボ発光管３３１１，３３１２、３３２４から照射される光は、後述する発光制御部５２２により制御される。一方、ランプ３３１５、蛍光灯３３２３は、制御部５により制御されて、電灯の発光量を調節することで、利用者の撮影処理の段階に応じて撮影空間１０内の明るさを調節する。
【００３９】
スピーカ３４及びプリンタ３５は、撮影ユニット３本体に内蔵されている。スピーカ３４は、制御部５による制御に従って、写真撮影の案内等の音声出力を行う。また、プリンタ３５は、制御部５による制御に従って、撮影された画像又は編集済みの画像をプリントし、プリントした画像を取出口３６に排出する。
【００４０】
（その他）
なお、撮影装置１００の具体的なハードウェア構成に関して、実施形態に応じて、適宜、構成要素の省略、置換及び追加が可能である。例えば、制御部５は、複数のプロセッサを含んでもよい。また、撮影装置１００は、提供されるサービス専用に設計された情報処理装置の他、汎用のＰＣ（Personal Computer）等であってもよい。
【００４１】
＜３．撮影装置のソフトウェア構成＞
次に、図５及び図６を用いて、本実施形態に係る撮影装置１００のソフトウェア構成の一例を説明する。図６は、本実施形態に係る撮影装置１００のソフトウェア構成の一例を模式的に例示する。
【００４２】
撮影装置１００の制御部５は、記憶部６に記憶されたプログラム６１をＲＡＭに展開する。そして、制御部５は、ＲＡＭに展開されたプログラム６１をＣＰＵにより解釈及び実行して、各構成要素を制御する。これによって、図６に示すように、本実施形態に係る撮影装置１００は、ソフトウェアモジュールとして、受付部５１、撮影処理部５２、及び出力処理部５３を備えるように構成される。また、撮影処理部５２には、身体情報取得部５２１と発光制御部５２２とが設けられている。
【００４３】
受付部５１は、撮影の依頼に関する操作画面を受付ユニット２のタッチパネルディスプレイ２１に表示すると共に、当該タッチパネルディスプレイ２１に対するタッチ操作による利用者の入力を受け付けて、その入力に応じた処理を実行する。これにより、受付部５１は、利用者からの撮影の依頼、撮影、印刷に関する設定等を受け付ける。
【００４４】
撮影処理部５２は、撮影の案内を示す案内画面等をタッチパネルディスプレイ３１に表示させると共に、カメラ３２による撮影処理を実施する。これにより、撮影処理部５２は、利用者（被写体）の写る画像を取得する。この撮影処理中に、身体情報取得部５２１は、利用者の身体的特徴に関する身体情報を取得するように構成される。また、発光制御部５２２は、身体情報取得部５２１において取得された身体情報に基づいて、撮影時に被写体に照射されるストロボ光を調整する。出力処理部５３は、最終的に得られた画像を紙媒体に印刷し、印刷した画像を取出口３６から出力する。また、出力処理部５３は、生成された画像と共に外部サーバに送信する。
【００４５】
撮影装置１００の各ソフトウェアモジュールに関しては後述する動作例で詳細に説明する。なお、本実施形態では、撮影装置１００の各ソフトウェアモジュールがいずれも汎用のＣＰＵにより実現される例について説明している。しかしながら、以上のソフトウェアモジュールの一部又は全部が、１又は複数の専用のハードウェアプロセッサにより実現されてもよい。また、撮影装置１００のソフトウェア構成に関して、実施形態に応じて、適宜、機能の省略、置換及び追加が行われてもよい。
【００４６】
＜４．撮影装置の動作例＞
＜４−１．撮影依頼の受け付けの処理手順＞
次に、図７を用いて、本実施形態に係る撮影装置１００による撮影依頼受付の処理手順について説明する。図７は、本実施形態に係る撮影装置１００による撮影依頼受付の処理手順の一例を例示する。
【００４７】
撮影装置１００の制御部５は、受付部５１として動作し、図７に示す処理手順に従って、撮影依頼の受付処理を行う。例えば、制御部５は、受付処理を開始するまでの間、受付ユニット２のタッチパネルディスプレイ２１に広告等のデモ画面を表示し、タッチパネルディスプレイ２１に対してタッチ操作されたことに応じて、以下の受付処理を開始する。なお、以下で説明する処理手順は一例に過ぎず、各処理は可能な限り変更されてもよい。また、以下で説明する処理手順について、実施の形態に応じて、適宜、ステップの省略、置換、及び追加が可能である。
【００４８】
（ステップＳ１００）
ステップＳ１００では、制御部５は、使用言語の種類を選択させる画面をタッチパネルディスプレイ２１に表示する。例えば、制御部５は、日本語、英語、中国語、韓国語等の各言語に対応するボタンをタッチパネルディスプレイ２１に表示し、いずれかのボタンを利用者にタッチさせる。これにより、制御部５は、使用言語の選択を受け付ける。記憶部６には、各使用言語に応じた画面データが記憶されており、制御部５は、本ステップ１００及び次のステップＳ１０２以降の処理において、選択された使用言語に応じた画面を表示するとともに、選択言語に対応する音声をスピーカ２４から出力する。使用言語の選択が完了すると、制御部５は、次のステップＳ１０２に処理を進める。
【００４９】
（ステップＳ１０２）
ステップＳ１０２では、制御部５は、印刷枚数を選択させる画面をタッチパネルディスプレイ２１に表示する。例えば、制御部５は、１枚、２枚等の印刷枚数に対応するボタンをタッチパネルディスプレイ２１に表示し、いずれかのボタンを利用者にタッチさせる。これにより、制御部５は、印刷枚数の選択を受け付ける。印刷枚数の選択が完了すると、制御部５は、次のステップＳ１０４に処理を進める。
【００５０】
（ステップＳ１０４）
ステップＳ１０４では、制御部５は、ステップＳ１０２の選択結果に基づく金額とともに、決済方法を選択させる画面をタッチパネルディスプレイ２１に表示する。例えば、制御部５は、クレジットカード、ＩＣカード、現金等の各決済方法に対応するボタンをタッチパネルディスプレイ２１に表示し、いずれかのボタンを利用者にタッチさせる。これにより、制御部５は、決済方法の選択を受け付ける。決済方法の選択が完了すると、制御部５は、次のステップＳ１０６に処理を進める。
【００５１】
（ステップＳ１０６）
ステップＳ１０６では、制御部５は、ステップＳ１０４で選択された決済方法に対応する決済画面をタッチパネルディスプレイ２１に表示する。これにより、制御部５は、ステップＳ１０４で選択された決済方法による決済を受け付ける。
【００５２】
現金での決済を選択した場合、利用者は、決済画面に指定された料金を現金投入口２２１に投入する。指定の料金（ステップＳ１０４の選択結果に基づく料金）分の現金又はそれ以上の現金が投入されると、現金処理部２２は、上記起動信号を制御部５に出力する。他方、クレジットカード又はＩＣカードでの決済を選択した場合、利用者は、対応するカードをカードリーダ２３に読み込ませる。対応するカードを読み取ると、カードリーダ２３は、上記起動信号を制御部５に出力する。制御部５は、これらの起動信号を受信した後、次のステップＳ１０８に処理を進める。
【００５３】
（ステップＳ１０８）
ステップＳ１０８では、制御部５は、印刷するシールのデザインを選択させる画面をタッチパネルディスプレイ２１に表示する。各デザインは、記憶部６に記憶されていてもよいし、ネットワークを介してＮＡＳ（Network Attached Storage）等の他の情報処理装置からダウンロードされてもよい。各デザインは、クロマキー合成処理により被写体に係る画像の背景として合成する背景デザイン、及びシール内に撮影画像を配置する配置デザインを規定する。
【００５４】
制御部５は、例えば、各デザインのサムネイルをタッチパネルディスプレイ２１に表示し、いずれかのサムネイルを利用者にタッチさせる。これにより、制御部５は、印刷するシールのデザインの選択を受け付ける。デザインの選択が完了すると、制御部５は、次のステップＳ１１２に処理を進める。
【００５５】
（ステップＳ１１０及びＳ１１２）
ステップＳ１１０では、制御部５は、撮影ユニット３が利用可能となるまでの間、撮影ユニット３による撮影の案内、広告等のデモ画面をタッチパネルディスプレイ２１に表示する。
【００５６】
本動作例に係る受付処理により撮影の依頼を行っている対象の利用者よりも前に、撮影装置１００を利用する利用者が存在する場合、対象の利用者が本ステップＳ１１０に到達した時点で、前の利用者が未だ撮影ユニット３による撮影処理を行っている可能性がある。制御部５は、この前の利用者が撮影ユニット３を占有している間、対象の利用者を筐体１の外側で待機させるために、本ステップＳ１１２によりデモ画面を表示する。なお、前の利用者が存在せず、又は前の利用者の撮影が完了しており、撮影ユニット３が直ちに利用可能な場合には、制御部５は、本ステップＳ１１０の処理を省略してもよい。
【００５７】
次のステップＳ１１２では、制御部５は、撮影空間１０への移動案内をタッチパネルディスプレイ２１に表示し、撮影の依頼を行っていた利用者に対して撮影空間１０内に移動するように促す。これにより、制御部５は、本動作例に係る受付処理を終了する。
【００５８】
なお、各ステップで表示される画面には、一つ前のステップに戻ったり、最初のステップＳ１００に戻ったりするためのボタンが設けられてもよい。これにより、利用者は、受付処理を所望のステップに戻したり、撮影の依頼をキャンセルしたりすることができる。
【００５９】
＜４−２．撮影の処理手順＞
次に、図８を用いて、本実施形態に係る撮影装置１００による撮影の処理手順について説明する。図８は、本実施形態に係る撮影装置１００による撮影の処理手順の一例を例示する。
【００６０】
撮影装置１００の制御部５は、上記受付処理が完了したことに応じて、撮影処理部５２として動作し、図８に示す撮影処理を開始する。なお、以下で説明する処理手順は一例に過ぎず、各処理は可能な限り変更されてもよい。また、以下で説明する処理手順について、実施の形態に応じて、適宜、ステップの省略、置換、及び追加が可能である。
【００６１】
（ステップＳ２００）
ステップＳ２００では、制御部５は、撮影を開始するための画面をタッチパネルディスプレイ３１に表示する。例えば、制御部５は、撮影プレイの開始を利用者に容認させるためのスタートボタンを含む画面をタッチパネルディスプレイ３１に表示し、利用者に対して、一対の電子ペン４０のいずれかにより当該スタートボタンをタッチさせる。これにより、制御部５は、撮影の開始を受け付けて、次のステップＳ２０２に処理を進める。なお、以下の処理では特に断りのない限り、いずれかの電子ペン４０により、タッチパネルディスプレイ３１をタッチすることで、撮影処理を進めることとする。したがって、以下では、「タッチ」との文言は、電子ペン４０によるタッチを意味する。
【００６２】
（ステップＳ２０２及びＳ２０４）
ステップＳ２０２において、制御部５は、全身撮影の処理を行う。この全身撮影について、図９及び図１０を参照しつつ説明する。まず、制御部５は、全身撮影を行うことの案内をタッチパネルディスプレイ３１に表示した後、図９に示すように、ライブビューが表示された画面をタッチパネルディスプレイ３１に表示する。このライブビューは、カメラ３２で撮影される撮影画像のうち、周縁部を切り取った画像である。この点について、図１０を参照しつつ説明する。
【００６３】
例えば、カメラ３２で全身の撮影を行うと、図１０に示すような撮影画像（原画）が生成される。しかしながら、撮影画像の周縁部は光学的に歪みが生じるおそれがあるため、周縁部を切り取り、ユーザが取得する画像の画像範囲を決定する。以下、この画像範囲に基づいて、ユーザが取得する画像を「ユーザ取得画像」と称することとする。なお、図１０は、ユーザ取得画像を説明するための図であり、タッチパネルディスプレイ３１には表示されず、図９の画面がタッチパネルディスプレイ３１に表示される。
【００６４】
続いて、ユーザは、ライブビューを見ながら、適宜ポーズを取る。そして、カウントダウン７２が行われた後、カメラ３２により全身撮影が行われる。すなわち、ユーザ取得画像としての静止画が生成される。生成される静止画は、図９の画面にて表示されたライブビューの表示範囲と同一の範囲の画像としてもよいし、当該ライブビューの表示範囲に近似する範囲の画像としてもよい。ここでは、カウントダウンとともに、第１及び第２発光ユニット３３１，３３２からストロボ光が照射され、２回の撮影が行われる。
【００６５】
（ステップＳ２０６及びＳ２０８）
次に、制御部５は、アップ撮影の処理を行う。このアップ撮影について、図１１〜図１３を参照しつつ説明する。まず、アップ撮影を行うことの案内をタッチパネルディスプレイ３１に表示した後、画像範囲の設定を行う。ここでは、図１１に示すような画面が表示され、ユーザ取得画像用の３つの画像範囲から１つを選択させる。図１１の画面では、図１２で示すように、撮影画像から、第１〜第３範囲を輪郭とする各画像がトリミングされて同時に表示されている。図１２に示すように、第１範囲（第２撮影モード）は、撮影画像の上部付近に配置される矩形状の範囲であり、大人の顔の位置を含むことが意図されている。第２範囲（第１撮影モード）は、第１範囲と同じ大きさであるが、第１範囲よりも下方に位置している。この第２範囲は、子供など身長の低い被写体の顔の位置を含むことが意図されている。また、第３範囲は、第２範囲と下端部の位置が同じ矩形状の範囲であり、且つ、第２範囲よりも上方及び左右に広い範囲である。したがって、第３範囲は、身長の低い被写体を含みつつ、身長の差のある多人数を被写体とすることが意図されている。
【００６６】
そして、図１１の画面では、このように設定された第１〜第３範囲の画像が、左から右へ並ぶように配置されている。このとき、図１１の画面に示される、第１〜第３範囲の画像は、カメラ３２で撮影されているライブビューである。これらの第１〜第３範囲の画像は、同じか略同じサイズで表示される。なお、図１２は、ユーザ取得画像を説明するための図であり、タッチパネルディスプレイ３１には表示されず、図１１の画面がタッチパネルディスプレイ３１に表示される。
【００６７】
続いて、ユーザがいずれかの範囲の画像をタッチすると、図１１に示すように、タッチされた画像の周りに選択枠７８が表示される。そして、選択を確定する場合には、ＯＫボタン７１をタッチする。したがって、ＯＫボタン７１がタッチされるまでは、いずれの画像も選択することができる。このように選択される画像範囲の取得は、制御部５の身体情報取得部５５２により行われる。
【００６８】
こうして、アップ撮影用のユーザ取得画像の範囲が決定されると、図１３に示すように、選択された範囲に対応するライブビューが表示された画面がタッチパネルディスプレイ３１に表示される。図１３は、第１範囲の画像が選択された例を示している。このライブビューは、図１１に示された各ライブビューよりも大きいサイズで表示される。そして、カウントダウン７２が行われた後、カメラ３２によりアップ撮影が行われる。すなわち、ユーザ取得画像としての静止画が生成される。生成される静止画は、図１３の画面にて表示されたライブビューの表示範囲と同一の範囲の画像としてもよいし、当該ライブビューの表示範囲に近似する範囲の画像としてもよい。ここでは、カウントダウンとともに、第１及び第２発光ユニット３３１，３３２からストロボ光が照射され、２回の撮影が行われる。
【００６９】
（ステップＳ２１０及びＳ２１２）
次に、制御部５は、ボーナス撮影の処理を行う。但し、ボーナス撮影は、撮影待ちをしているユーザがいないときに行われる。具体的には、制御部５は、受付ユニット２を操作しているユーザがいないと判断したときは（ステップＳ２１０のＮＯ）、タッチパネルディスプレイ３１に、ボーナス撮影用の画面を表示する。ボーナス撮影用の画面は、上述した図９の全身撮影用の画面が表示され、２回の撮影が行われる。但し、図１３のアップ撮影用の画面を表示することもできるが、既に選択したユーザ取得画像の範囲が画面に表示される。一方、制御部５が、受付ユニット２を操作しているユーザがいると判断したときは（ステップＳ２１０のＹＥＳ）、ボーナス撮影を行わない。なお、ボーナス撮影については、他の態様も可能であり、例えば、ユーザが受付ユニット２において操作している場合でも、受付ユニット２での操作が完了していない場合には、ボーナス撮影を行うこともできる。例えば、受付ユニット２での操作が始まっている場合でも、ステップＳ１１０のデモの表示が行われるまでは、ボーナス撮影を行なうことができる。
【００７０】
（ステップＳ２１４）
続いて、制御部５は、印刷されるシートの中で大きくする画像の選択を、ユーザに行わせる。すなわち、タッチパネルディスプレイ３１には、図１４に示すように、既に撮影した既に撮影したすべてのユーザ取得画像が表示され、この中から、シールの中で大きくする画像を選択する。ボーナス撮影が行われた場合には、ユーザ取得画像の中に、ボーナス撮影で撮影された画像も含まれる。そして、ユーザがいずれかの画像をタッチすると、タッチされた画像に選択枠７９が表示される。そして、選択を確定する場合には、ＯＫボタン７１をタッチする。したがって、ＯＫボタン７１がタッチされるまでは、いずれの画像も選択することができる。ОＫボタン７１がタッチされると、制御部５は、本ステップでの選択結果に基づいて、ステップＳ１０８で選択されたデザインに対応するテンプレート画像と、ユーザ取得画像とを合成した出力画像を生成する。出力画像に含まれるユーザ取得画像うち、ステップＳ２１４で選択した１枚の画像が他のものよりも大きくなっている。
【００７１】
（ステップＳ２１６）
ステップＳ２１４では、制御部５は、出力処理部５５として動作し、プリンタ３５を利用して、シートのプリント処理を開始し、白紙のシートに出力画像を印刷する。そして、出力画像を、外部サーバに送信する。
【００７２】
また、制御部５は、ステップＳ２１０で開始したプリント処理が完了したことに応じて、プリント処理が完了したことを示す案内をタッチパネルディスプレイ３１に表示する。そして、制御部５は、シールを取出口３６から排出する。
【００７３】
このとき、制御部５は、ステップＳ１０２で選択された枚数分のシートを印刷する。各画像を印刷した印刷シートを取出口３６から排出した後、制御部５は、利用者に対して、シールを取り出し、撮影空間１０の外へ出るように促す案内をタッチパネルディスプレイ３１に表示する。利用者は、当該案内に従って、プリントされた印刷シートを取出口３６から取り出し、撮影空間１０から退出する。これにより、制御部５は、本動作例に係る撮影処理を終了する。
【００７４】
＜４−３．照明具におけるストロボ光の制御＞
上記のように、本実施形態に係る撮影装置では、全身撮影及び３種類のアップ撮影を行うことができるようになっているが、それぞれの撮影において、最適なユーザ取得画像の生成を行えるように、ストロボ光の照射が制御されている。本実施形態では、第１〜第３ストロボ発光管３３１１、３３１２，３３２４が設けられているため、上記各種の撮影においては、用いる発光管、及びストロボ光の強度が設定されている。以下、その設定の一例を示す。以下の表においては、ストロボ光の強度を５段階で示しており、４が最も強く、１が最も弱い。また、０はストロボ光を照射しないことを示している。但し、１〜４は、各ストロボ発光管における相対的な光の強度の例を示しており、例えば、第１ストロボ発光管の「４」と、第３ストロボ発光管の「４」とは相違する。また、１〜４は、おおよその強度の違いを示すものであり、絶対的な差を示すものではない。
【表１】
2019078823.tif 000003
【００７５】
全身撮影では、被写体の立ち位置の想定位置がすべての撮影の中で最もカメラ３２及び各ストロボ発光管３３１１、３３１２，３３２４から遠く設定されている。被写体に十分に光を当てるために、すべてのストロボ発光管３３１１、３３１２，３３２４を用い、且つストロボ光の強度を最も高くしている。
【００７６】
第１範囲のアップ撮影は、大人の顔付近を対象とするため、顔の位置に近い第１発光ユニット３３１の発光強度を強くすると被写体の顔にテカリが生じてしまう。そのため、第１発光ユニット３３１を構成する第１ストロボ発光管３３１１の光の強度を弱くしている。また、顔に強い直接光が照射されると、撮影画像の顔部分に不自然なハイライトが生じる可能性がある。そのため、第２ストロボ発光管３３１２は用いなくてもよい。そして、このような第１発光ユニット３３１の発光強度で撮影を行った場合、あごの周りにはあまり強い影は生じない。そのため、第２発光ユニット３３２の発光強度を強くしすぎると、あごの下が光っているようなバランスの悪い写真となってしまう。そこで、第２発光ユニット３３２を構成する第３ストロボ発光管３３２４は、ストロボ光の強度を弱くしている。
【００７７】
第２範囲のアップ撮影では、身長の低い子供の顔付近を対象としているため、被写体である子供の顔は、大人の場合と比較して第１発光ユニット３３１から遠い位置となる。そのため、第１発光ユニット３３１の発光強度を大人の場合（第１範囲の場合）よりも強くする必要があり、第１発光ユニット３３１を構成する第１ストロボ発光管３３１１の光の強度を強めにしている。しかし、第１ストロボ発光管３３１１からのストロボ光は、身長の低い子供に対しては、大人よりも上方から照射される。そのため、顎などの下向きの部位に影が生じやすくなる。これを防止するため、下からストロボ光を照射する第３ストロボ発光管３３２４の光の強度を強めにしている。また、顔に強い直接光が照射されると、撮影画像の顔部分に不自然なハイライトが生じる可能性がある。そのため、第２ストロボ発光管３３１２は用いなくてもよい。
【００７８】
第３範囲のアップ撮影では、身長の低い子供を含め、身長差のある多人数を対象としているため、被写体の立ち位置が、全身撮影よりも、カメラ３２や各発光ユニット３３１，３３２から近く、他のアップ撮影よりも遠くなることを想定しているそのため、第１ストロボ発光管３３１１及び第３ストロボ発光管３３２４の光の強度を全身撮影よりもやや弱くし、他のアップ撮影よりもやや強くしている。また、顔に直接光が照射されるため、第２ストロボ発光管３３１２は用いない。
【００７９】
このように、本実施形態では、身体情報取得部５２１により、画像範囲（身体情報）が設定されると、これに基づき、発光制御部５２２が上記表１の設定にしたがって、ストロボ発光管３３１１、３３１２，３３２４のストロボ光の発光強度の設定を行う。例えば、発光制御部５２２は、ストロボ発光管３３１１、３３１２，３３２４に対して、設定された発光強度に応じた電圧を印加し、撮影時に、カメラ３２のシャッターの駆動と連動するように、ストロボ光を照射する。なお、上記ストロボ光の発光強度及びその設定の説明は一例であり、他の設定も可能である。例えば、上記の例では各アップ撮影では直接光を照射する第２ストロボ発光管３３１２を用いていないが、弱い光を細かく制御できるような場合は適宜用いることも可能である。
【００８０】
また、上述したように、各ストロボ発光管３３１１、３３１２，３３２４からの光の発光強度を個別に設定するほか、カメラ３２の上方に配置される第１発光ユニット３３１と、カメラ３２の下方に配置される第２発光ユニット３３２との発光強度の関係を以下のように設定することもできる。すなわち、各発光ユニット３３１，３３２からの発光強度を調整できるのであれば、それら内部の各ストロボ発光管の個数やどれを発光させるか等は様々である。なお、以下の表の０〜４の数値は、上述した表１と同じ意味で用いている。
【表２】
2019078823.tif 000004
【００８１】
なお、上記表１及び表２の設定では、第１範囲の撮影における第２発光ユニット３３２からの総発光強度を、第２範囲の撮影における第２発光ユニット３３２からの総発光強度よりも弱くしているが、これを反対にしてもよい。例えば、顔の形状などによっては第１発光ユニット３３１からの光により、顎付近に影が強く生じる場合がある。その際、第１範囲の対象となる大人の顔付近は第２発光ユニット３３２から遠いため、第２発光ユニット３３２からの光の強度が弱いと、影を抑制できないことがある。そこで、このような状況の場合には、第１範囲の撮影における第２発光ユニット３３２からの総発光強度を、第２範囲の撮影における第２発光ユニット３３２からの総発光強度よりも強くすることができる。
【００８２】
＜５．特徴＞
以上のように、本実施形態によれば、アップ撮影において、被写体の身体的特徴、つまり、身長に応じた顔の位置が含まれる画像範囲を選択させている。すなわち、身体情報として顔の位置等を意味する画像範囲を取得する。そして、選択された画像範囲に応じて、第１発光ユニット３３１および第２発光ユニット３３２ボの発光強度を調整している。すなわち、被写体の身長に応じて、主として顔付近に照射されるストロボ光の強度を調整しているため、顔の位置に応じた最適なユーザ取得画像を生成することができる。
【００８３】
＜６．変形例＞
以上、本発明の一実施形態について説明したが、前述までの説明はあらゆる点において本発明の例示に過ぎない。本発明の範囲を逸脱することなく種々の改良や変形を行うことができることは言うまでもない。例えば、以下のような変更が可能である。なお、以下では、上記実施形態と同様の構成要素に関しては同様の符号を用い、上記実施形態と同様の点については、適宜説明を省略した。以下の変形例は適宜組み合わせ可能である。
【００８４】
＜６．１＞
上記実施形態では、アップ撮影用の３種類の画像範囲を設定しているが、これに限定されるものではなく、２種類、あるいは４種類以上の画像範囲を設定することもできる。すなわち、画像範囲の位置や大きさは適宜設定することができる。
【００８５】
また、上記実施形態では、被写体の顔の位置に応じた画像範囲をユーザに選択させているが、これを自動で行うこともできる。すなわち、公知の顔認識技術により、撮影画像から顔の位置を検出し、これに基づいて画像範囲を設定することができる。複数の顔を検出した場合には、全ての顔が含まれるように画像範囲を設定することができる。このような顔の位置の検出及び画像範囲の設定は、制御部５の身体情報取得部５２１により行われる。
【００８６】
また、身体情報は顔の位置（身長）のみならず、性別、年齢、皮膚の色、顔の形状、目の大きさ、人種など、種々の情報とすることができる。これらは、撮影画像から公知の画像認識技術によって、性別等を身体情報として検出し、身体情報取得部５２１が取得する。そして、検出された身体情報に基づいて、発光制御部５２２により、被写体に照射されるストロボ光を調整することができる。例えば、身体情報として、被写体の皮膚の色が濃いことを検出した場合には、ストロボ光の発光強度を強くすることができる。
【００８７】
＜６．２＞
上記実施形態では、身体情報に基づいて、(1)ストロボ光を照射するストロボ発光管の選択、及び(2)ストロボ光の発光強度の調整、の両者の制御を行っているが、いずれか一方のみを行ってもよい。また、各ストロボ発光管を個別に調整するほか、すべてのストロボ光、あるいは各発光ユニットからの総発光強度の調整を行ってもよい。
【００８８】
＜６．３＞
上述した各発光ユニット３３１，３３２の構成は、一例であり、内部に配置されるストロボ発光管の数、位置、仕様、蛍光灯、ランプなどの構成は特には限定されず、適宜変更可能である。また、上記実施形態では、撮影時に被写体に照射する光としてストロボ光を採用しているが、これに限定されるものではなく、撮影用に被写体を照らすことができる光であれば、特には限定されず、また、そのような光を照射できるものであれば、光源も特には限定されない。
【００８９】
＜６．４＞
身体情報により、被写体が子供であることを検出した場合には、ストロボ光を照射しないようにすることもできる。これは、ストロボ光の照射に子供が驚き、カメラ側を向かないことがあることによる。このような場合には、ストロボ光の代わりに、蛍光灯やランプを明るくしたり、あるいはカメラのＩＳＯ感度を上げることにより、ストロボ光を照射するのと同等の明るさの写真を撮影することができる。
【００９０】
＜６．５＞
上記実施形態では、取得した身体情報をストロボ光の制御に用いたが、これを画像補正に用いることもできる。画像補正としては、例えば、目の大きさ、顔の形状、顔の皮膚の色などを変更する処理を採用することができる。そして、例えば、身体情報として、子供が検出された場合には、補正を行わず、大人が検出された場合には、各種の補正を行うようにすることができる。その他、例えば、身体情報として人種を取得する場合、アジア系の黄色人種は目の大きさが小さいことがあるため、被写体がアジア系の人であることが検出されたときには、目を大きくする補正を適用することができる。一方、その他の白色人種等の総じて目が大きい人種であることが検出された場合には、目を大きくする補正を行わないようにすることできる。
【００９１】
上述した補正は、ユーザ取得画像の大きさによって変更することができる。例えば、全身撮影で取得されるユーザ取得画像内の被写体の顔の大きさと、アップ撮影で取得されるユーザ取得画像内の被写体の顔の大きさとは、相違する。つまり、同じ被写体であっても、全身撮影でのユーザ取得画像内の顔の大きさは、アップ撮影でのユーザ取得画像内の顔の大きさよりも小さい。したがって、例えば、全身撮影での被写体の目の大きさの補正は、補正をわかりやすくするため、アップ撮影よりも目をやや大きくすることができる。このように、ユーザ取得画像内での補正対象の大きさに応じて、補正を変更することができる。なお、このような補正は、ライブビュー及び静止画の生成のいずれにも適用することができる。ライビューにおいて補正を行う場合には、例えば、動画を構成するフレーム毎に身体情報の検出を行った上で、補正を行うことができる。
【００９２】
＜６．６＞
出力画像が印刷された印刷シートは、種々の形態にすることができるが、例えば、図１５に示す形態にすることができる。ここでは、説明の便宜上、図１５の上下、左右方向にしたがって説明を行うこととする。また、ここでは、説明の便宜のため、図１５に示すシートに１つの画像のみを表示しているが、あくまでも一例であり、その他、例えば、上述したステップＳ１０８で選択したシールデザインに、ユーザ取得画像が印刷されたものとすることができる。図１５の例では、印刷シートに印刷された出力画像は、ユーザ取得画像と、切り取り線１５０と、切込み用線８０１，８０２，８０３とを含む。この印刷シートには、ユーザ取得画像が印刷された画像配置領域５００と、この画像領域５００のいずれかの縁部に切り取り線１５０を介して一体的に連結された帯状の支持部領域６００とが設けられている。そして、後述するように、印刷シートから切り離された画像領域５００は、画像シート７００を構成し、支持部領域６００は、支持部８００を構成するようになっている。なお、図１５では、画像領域５００の下縁に支持部領域６００が連結されているが、画像領域５００のいずれの縁部に連結されていてもよい。
【００９３】
支持部領域６００は、切り取り線１５０を切断して、画像領域５００から切り離されると、帯状の支持部８００となり、図１６に示すように、環状に形成されるように組み立てられる。そのため、支持部領域６００の右端部の上部には、上下方向に延びる第１切込み用線８０１が形成され、左端部の下部には、上下方向に延びる第２切込み用線８０１が形成されている。そして、これら切込み用線８０１，８０２を切断して切込みを形成した後、これら切込みを係合させると、図１６に示す環状の支持部８００が形成される。
【００９４】
また、この支持部領域６００の中央の上部には、所定間隔をおいて２カ所に上下方向に延びる第３切込み用線８０３が形成されている。そのため、第３切込み用線８０３を切断して第３切込みを形成し、支持部８００を環状に組み立てた後、印刷シートから切り離された画像シート７００を第３切込みに係合させると、図１７に示すように、写真立てを構成することができる。
【００９５】
なお、支持部８００の構成は、特には限定されず、上記のように環状のほか、Ｕ字状に形成することもできる。すなわち、第１及び第２切込み用線８０１、８０２を設けず、第３切込み用線８０３に画像シート７００を係合させることで、支持部８００をＵ字状に保持することができる。第３切込み用線８０３の位置、数も特には限定されない。また、印刷領域に印刷される画像は適宜変更することができる。さらに、切り取り線１５０及び各切込み用線８０１〜８０３は、印刷によるものであるが、あらかじめミシン目を形成しておき、切断しやすくすることもできる。
【００９６】
＜６．７＞
上記実施形態では、電子ペンにより、タッチパネルディスプレイ３１をタッチすることで、入力を行っているが、指でタッチすることで入力を行ってよく、あるいは物理的なボタン等の入力部を設けて入力を行うこともできる。また、入力は、音声により行うこともできる。すなわち、ユーザが、操作指示を声を発することで行い、これを受信することで、制御部５が操作を行うこともできる。
【００９７】
＜６．８＞
上記実施形態では、撮影画像からユーザ取得画像のトリミングを行い、トリミング後の画像を選択画面（図９，図１１，及び図１３）に表示しているが、ユーザ取得画像の表示の態様はこれに限定されない。例えば、上記のようなトリミングを行うことなく、撮影画像の周囲をマスクし、ユーザ取得画像のみが表示されるように、撮影画像自体（またはその一部）を選択画面に表示することもできる。要するに、ユーザ取得画像で規定される画像範囲が画面に表示されればよい。なお、選択対象となるライブビューとしてユーザに見えている複数の画像の大きさは、すべて同じまたは略同一とすることができる。
【００９８】
＜６．９＞
また、撮影画像から、トリミングやマスクによりユーザ取得画像を生成する以外に、例えば、物理的なカメラの向きの変更、あるいは光学的なズームアップ及びズームアウトにより、ユーザ取得画像の画像範囲を決めてもよい。すなわち、カメラによる撮影画像をユーザ取得画像とすることもできる。さらには、カメラの向きの変更、ズームアップ及びズームアウトと、トリミング及びマスクと、を混在してユーザ取得画像の画像範囲を設定することもできる。
【００９９】
＜６．１０＞
上記実施形態では、全身撮影とアップ撮影の２種類を行っているが、アップ撮影のみでもよい。また、アップ撮影後に、撮影待ちをしているユーザがいない場合には、ボーナス撮影を行っているが、ボーナス撮影に代えて、撮影のやり直しを行うこともできる。すなわち、全身撮影またはアップ撮影の少なくとも１つを行い、既に撮影した全身撮影及びアップ撮影に係るユーザ取得画像と入れ替えることもできる。このとき、新たに生成したユーザ取得画像と、既に生成したユーザ取得画像とを比較し、既に生成したユーザ取得画像をそのまま維持することもできる。また、このようなボーナス撮影または撮影のやり直しを、撮影待ちのユーザの有無にかかわらず行ってもよいし、あるいは、全く行わないようにしてもよい。
【０１００】
＜６．１１＞
上記実施形態に係る撮影装置では、出力処理部５５が、シートの印刷を行うことで、ユーザ取得画像の出力を行っているが、シートや、ユーザ取得画像のデータを出力することもできる。この場合、電子データは、ユーザの携帯端末に直接送信したり、あるいは外部サーバに送信後、当該サーバからユーザがインターネットを介して取得することもできる。
【０１０１】
＜６．１２＞
上記実施形態に係る撮影装置においては、画像の編集を行うこともできる。すなわち、ユーザ取得画像やシートに対して、画像の編集作業を行うことができるようにしてもよい。また、上述したタッチパネルディスプレイ３１に表示される画面の構成は一例であり、適宜変更することができる。
【符号の説明】
【０１０２】
３２…カメラ（撮影部）
５…制御部
５２１…身体情報取得部
５２２…発光制御部
【図１Ａ】
2019078823.tif 000005
【図１Ｂ】
2019078823.tif 000006
【図２】
2019078823.tif 000007
【図３】
2019078823.tif 000008
【図４】
2019078823.tif 000009
【図５】
2019078823.tif 000010
【図６】
2019078823.tif 000011
【図７】
2019078823.tif 000012
【図８】
2019078823.tif 000013
【図９】
2019078823.tif 000014
【図１０】
2019078823.tif 000015
【図１１】
2019078823.tif 000016
【図１２】
2019078823.tif 000017
【図１３】
2019078823.tif 000018
【図１４】
2019078823.tif 000019
【図１５】
2019078823.tif 000020
【図１６】
2019078823.tif 000021
【図１７】
2019078823.tif 000022